(57)【特許請求の範囲】
【請求項１】
冷蔵庫扉の前面パネルと内板パネルとの間に断熱材を注入して製造する冷蔵庫扉の製造装置において、前記前面パネルへ前記断熱材を注入する注入装置に並列配置され、前記注入装置と一体化し、前記前面パネルに搭載された前記内板パネルを脱着させる脱着装置と、前記脱着装置と前記注入装置をいずれかの方向へ移動させ前記注入装置の注入口又は前記脱着装置の中心を前記前面パネルのほぼ中心上方へ移動できるようにする移動台車部と、を備え、断熱材を前面パネルに注入してから、前記内板パネルを吸着した前記脱着装置の降下速度により前記内板パネルを前記前面パネルに合体させたことを特徴とする冷蔵庫扉の製造装置。
【請求項２】
前記注入装置が複数台からなり、これら複数の注入装置を駆動装置により一体で移動して複数種の冷蔵庫扉が流れても対応できるようにしたことを特徴とする請求項１記載の冷蔵庫扉の製造装置。
【請求項３】
複数種の冷蔵庫扉の前面パネルと内板パネルとの間にそれぞれ断熱材を注入して製造する冷蔵庫扉の製造方法において、前記内板パネルを吸着する吸着装置と前面パネルに断熱パネルを注入する注入装置を一体に設けた移動台車部を前後もしくは左右の少なくともいずれかの方向へ移動させて複数の内板パネルを吸着装置に吸着させて上方に保持するステップと、移動台車部を移動させて注入装置の注入口を前面パネルのほぼ中心位置に配置させ、全注入口の位置を配置してから注入装置から前面パネルの上へ断熱材を注入するするステップと、断熱材注入後内板パネルを移動させて吸着装置に吸着した各内板パネルを各前面パネルの上方に移動させ降下させて前記各前面パネルに合体させるステップと、を備えたことを特徴とする冷蔵庫扉の製造方法。
【請求項４】
上記請求項１又は２の冷蔵庫扉の製造装置で製造された冷蔵庫扉を冷蔵庫本体に位置したことを特徴とする冷蔵庫。
【発明の詳細な説明】
【０００１】
【発明の属する技術分野】
この発明は冷蔵庫扉の製造装置及びその製造方法に関するものである。
【０００２】
【従来の技術】
従来の冷蔵庫扉は、図４に示すように、まず、下治具の上に冷蔵庫扉の前面パネル２を置き、この前面パネル２の上に内板パネル３を置いた状態で、内板パネル３がある辺を基軸として図４のｂに示したように、開くように、仮テープ４で固定し、その後、内板パネル３を開き、ウレタン注入装置５からウレタンを前面パネル２の上へ注入した後、再び、内板パネル３で前面パネル２を覆うように塞いで、その上に上治具（図示せず）を乗せ、ウレタン発泡によるパネルの歪を防止しがら発泡を完了させ、その後、上治具と仮テープ４を除去して冷蔵庫扉の製作をしていた。
【０００３】
しかし、このような製造装置及び製造方法で冷蔵庫扉を製造すると、内板パネル３の上乗せ作業や、仮テープ４の張り作業や、内板パネル３を開く作業や、仮テープ４の引き剥がし作業等の煩雑な作業が余儀なくされるため、作業工程が複雑で、製作時間がかかる。また、仮テープ４で固定した内板パネル３を開閉しているだけなので、特に、ウレタン注入後の閉時には、内板パネル３の自重のみしか架からないため、固定力が弱く、前面パネル２に完全に嵌まらず、ウレタンが漏れたりすることがある。
【０００４】
次に、その他の従来の冷蔵庫扉の製造装置及び製造方法としては、特開昭６０−３８５７３号公報のようなものがある。なお、この製造装置及び製造方法は、前工程で内板パネル３を上冶具に、前面パネルを下冶具に予めに取付け、ウレタン注入装置５から前面パネル２へウレタンを注入した後、上冶具と下冶具を合わせ、発泡成形させた後、治具から冷蔵庫扉を外して製品を完成するものである。
【０００５】
しかし、このような各冶具に各パネルを埋め込むものは、埋め込み時間がかかったり、また、冷蔵庫扉の数に応じて治具を必要とするため、治具と冷蔵庫扉の数を同期管理しなければならないという問題があった。また、埋め込んだ後、特に、内板パネル３を上冶具に保持する機構（フック、吸着等）が必要となるため、上冶具が複雑になったり、また、治具に対するケーブル処理も複雑になるという問題があった。
【０００６】
【発明が解決しようとする課題】
以上説明したように、従来の冷蔵庫扉の製造装置及びその製造方法では、作業工程が複雑になり、製作時間もかかり、生産性が低下するという問題があった。
【０００７】
また、材料費が高くなったり、不良率も上がるという問題があった。
【０００８】
この発明は係る問題点を解決するためになされたもので、生産性が良く、製品バラツキが少なく、信頼性の高い冷蔵庫扉の製造装置及びその製造方法を得ることを目的とする。
【０００９】
また、製造コストの安い冷蔵庫扉を得ることを目的とする。
【００１０】
【課題を解決するための手段】
この発明に係る冷蔵庫扉の製造装置は、冷蔵庫扉の前面パネルと内板パネルとの間に断熱材を注入して製造する冷蔵庫扉の製造装置において、前記前面パネルへ前記断熱材を注入する注入装置に並列配置され、前記注入装置と一体化し、前記前面パネルに搭載された前記内板パネルを脱着させる脱着装置と、前記脱着装置と前記注入装置をいずれかの方向へ移動させ前記注入装置の注入口又は前記脱着装置の中心を前記前面パネルのほぼ中心上方へ移動できるようにする移動台車部と、を備え、断熱材を前面パネルに注入してから、前記内板パネルを吸着した前記脱着装置の降下速度により前記内板パネルを前記前面パネルに合体させたものである。
【００１２】
また、この発明に係る冷蔵庫扉の製造装置は、前記注入装置が複数台からなり、これら複数の注入装置を駆動装置により一体で移動して複数種の冷蔵庫扉が流れても対応できるようにしたものである。
【００１４】
また、この発明の冷蔵庫扉の製造方法は、前記内板パネルを吸着する吸着装置と前面パネルに断熱パネルを注入する注入装置を一体に設けた移動台車部を前後もしくは左右の少なくともいずれかの方向へ移動させて複数の内板パネルを吸着装置に吸着させて上方に保持するステップと、移動台車部を移動させて注入装置の注入口を前面パネルのほぼ中心位置に配置させ、全注入口の位置を配置してから注入装置から前面パネルの上へ断熱材を注入するするステップと、断熱材注入後内板パネルを移動させて吸着装置に吸着した各内板パネルを各前面パネルの上方に移動させ降下させて前記各前面パネルに合体させるステップと、を備えたものである。
【００１５】
また、この発明の冷蔵庫は、上記請求項１又は２の冷蔵庫扉の製造装置で製造された製造物は、冷蔵庫扉を冷蔵庫本体に位置し、上記請求項１から３のいずれかの製造装置で製作されたものである。
【００１６】
【発明の実施の形態】
実施の形態１．
図１は、この発明の冷蔵庫扉の製造装置の全体概略図であり、この図の１は冷蔵庫扉製造装置に設けられ、前面パネル２を搭載した移動式下治具、２は冷蔵庫扉の前面パネル、３はこの前面パネル２とウレタン等の断熱材で接着される内板パネル、５は冷蔵庫扉製造装置に設けられ、断熱材等のウレタンを注入するウレタン（断熱材）注入部、６はこのウレタン注入部５と一体で並列に配置され、該ウレタン注入部５と共にラインの左右方向のいずれかの方向へ移動する脱着装置としての移動台車部、７はこの移動台車部６に設けられ、内板パネル３を上下に移動するエアシリンダ、８はこのエアシリンダ７に取り付けられ、内板パネル３を吸着パッド９で吸着して上下に動かす内板移動合体部、９はこの内板移動合体部８の吸着パッド、１０はウレタン注入部５をラインの流れ方向に移動する注入部移動用駆動部、１１はウレタン注入部５及び移動台車部６をラインの流れ方向に対して左右いずれかの方向ヘ移動する移動台車用駆動部である。
【００１７】
次に、この構成の動作について図２を用いて説明する。まず、図２の（ａ）に示すように、前工程で下治具１の上に前面パネル２、この前面パネル２の上に内板パネル３が乗せられ、次の工程に送られる。  次の工程では、まず、図２の（ｂ）に示すように、内板移動合体部８の吸着パッド９が前面パネル２の上に搭載された内板パネル３の所定位置、即ち、吸着パッド９が内板パネル３のほぼ中央、又は内板パネル３の四隅の所定位置に来ると、エアシリンダ７が駆動され、吸着パッド９で内板パネル３を吸着してほぼ垂直に持ち上げる。
【００１８】
次に、この持ち上げ作業が完了すると、図２の（ｃ）に示すように、脱着装置としての移動台車部６がラインの流れ方向に対して左右いずれかの方向ヘ移動するように台車移動用駆動部１１が移動台車部６を駆動し、この駆動によってウレタン注入部５の注入口が前面パネル２のほぼ中央の中心上方にくると、停止してウレタン注入部５からウレタンを前面パネル２の上へ供給する。
【００１９】
次に、この供給後、図２の（ｄ）に示すように、再び、台車移動用駆動部１１が駆動され、内板移動合体部８が吸着した内板パネル３が前面パネル２と合体できる所定位置、即ち、前面パネル２のほぼ重なり合う上方の元の位置に来ると、前述のエアシリンダ７によって持ち上げられていた内板パネル３が前面パネル２へ降ろされ、前面パネル２へ合体される。
なお、この時の合体力は、内板パネル３及び吸着パッド９等の自重と、これらを降下させる速度の運動エネルギーの合算したものとなるため、合体力が増し、内板パネル３が前面パネル２に確実に装着される。
【００２０】
次に、これらの工程、即ち、図２の（ｂ）から（ｄ）の一連の工程が同一場所で完了すると、下治具ごと次工程に移動され、この工程でウレタンの発泡力に耐えるための上治具が乗せられ、ウレタン発泡が完了するまで待つ、次に、このウレタン発泡が完了すると、上治具が外され、ウレタンを介して結合された前面パネル２と内板パネル３、即ち、冷蔵庫扉が取り出され、冷蔵庫扉の製作が完了し、図３に示すように、冷蔵庫扉が冷蔵庫に装着される。
【００２１】
なお、このような冷蔵庫扉の製作において、複数の同一冷蔵庫扉を同時に製作する時は、複数のウレタン注入部５を設けると共に、脱着装置としての移動台車部６にその数に見合った吸着パッド９を設け、前述した動作を繰返すこととなる。
【００２２】
また、複数種の冷蔵庫扉、例えば、冷蔵庫扉の高さ（ライン流れ方向の長さ）が異なる複数の冷蔵庫扉を同時に製作する時は、複数のウレタン注入部５のあるウレタン注入部５の注入口がある前面パネル２のほぼ中央、中心に来た時点で、冷蔵庫扉の長さの相違により、他方のウレタン注入部５の注入口は前面パネル２のほぼ左右中央にあるものの、中心からズレた状態となっているため、これを修正するために、上記一連の工程において、あるウレタン注入部５の注入口がある前面パネル２のほぼ中央、中心に来た時点で、更に、他方のウレタン注入部５を注入部移動用駆動部１０で前後方向のいずれかの方向に駆動して、その他方のウレタン注入部５の注入口がそれと対応した前面パネル２のほぼ中心に来へように駆動制御し、全ウレタン注入部５の注入口が全て前面パネル２のほぼ中心に来た時、前述したとほぼ同じ工程、即ち、ウレタン注入後の動作工程以降を継続して、冷蔵庫扉の製作を完了することとなる。
【００２３】
以上説明したように、この発明においては、並列配置された注入装置と脱着装置とを一体化し、脱着装置を左右、そのシリンダーを上下に移動するだけで、前面パネル２へウレタンを注入して内板パネル３を装着できるようになるため、省スペースで、生産性の良い冷蔵庫扉の製造装置又はその製造方法が得られる。
【００２４】
また、冷蔵庫扉の高さ（ライン流れ方向の長さ）が異なる複数種の冷蔵庫扉を同時に製作できるようにしたので、自由度の高い冷蔵庫扉の製造装置又はその製造方法が得られる。また、製造コストの安い冷蔵庫扉が得られる。
【００２５】
【発明の効果】
以上に説明したように、この発明の冷蔵庫扉の製造装置は、冷蔵庫扉の前面パネルと内板パネルとの間に断熱材を注入して製造する冷蔵庫扉の製造装置において、前記前面パネルへ前記断熱材を注入する注入装置に並列配置され、前記注入装置と一体化し、前記前面パネルに搭載された前記内板パネルを脱着させる脱着装置と、前記脱着装置と前記注入装置をいずれかの方向へ移動させ前記注入装置の注入口又は前記脱着装置の中心を前記前面パネルのほぼ中心上方へ移動できるようにする移動台車部と、を備え、断熱材を前面パネルに注入してから、前記内板パネルを吸着した前記脱着装置の降下速度により前記内板パネルを前記前面パネルに合体させた構成としたので、少ない移動距離で、断熱材としてのウレタンを簡単に前面パネルのほぼ中心へ注入でき、かつ内板パネルを正確に前面パネルとの合体位置へ移動できるとともに、合体力として内板パネルの自重以外、その降下速度による運動エネルギーも加わり、内板パネルと前面パネルとの合体が確実になるため、省スペースで、信頼性の高い生産性の良い冷蔵庫扉の製造装置が得られる。
【００２７】
また、この発明の冷蔵庫扉の製造装置は、前記注入装置が複数台からなり、これら複数の注入装置を駆動装置により一体で移動して複数種の冷蔵庫扉が流れても対応できるように構成したので、更に、生産自由度が高く、生産性の良い冷蔵庫扉の製造装置が得られる。
【００２９】
また、この発明の冷蔵庫扉の製造方法は、複数種の冷蔵庫扉の前面パネルと内板パネルとの間にそれぞれ断熱材を注入して製造する冷蔵庫扉の製造方法において、前記内板パネルを吸着する吸着装置と前面パネルに断熱パネルを注入する注入装置を一体に設けた移動台車部を前後もしくは左右の少なくともいずれかの方向へ移動させて複数の内板パネルを吸着装置に吸着させて上方に保持するステップと、移動台車部を移動させて注入装置の注入口を前面パネルのほぼ中心位置に配置させ、全注入口の位置を配置してから注入装置から前面パネルの上へ断熱材を注入するするステップと、断熱材注入後内板パネルを移動させて吸着装置に吸着した各内板パネルを各前面パネルの上方に移動させ降下させて前記各前面パネルに合体させるステップと、を備えたので、冷蔵庫扉の高さ（ライン流れ方向の長さ）が異なる複数種の冷蔵庫扉を同時に製作できる生産自由度が高く、省スペースで、生産性の良い冷蔵庫扉の製造方法が得られる。
【００３０】
また、この発明の冷蔵庫は、上記請求項１から３のいずれかの製造装置で製作されたので、製造コストの安い冷蔵庫扉が得られる。
【図面の簡単な説明】
【図１】  この発明の実施の形態１の全体概略構成図である。
【図２】  この発明の実施の形態１における各製造工程の概略図である。
【図３】  この発明の冷蔵庫の概略図である。
【図４】  従来の冷蔵庫扉の製造工程図である。
【符号の説明】
１  下冶具、  ２  前面パネル、  ３  内板パネル、  ４  仮テープ、５  注入部、  ６  移動台車部、  ７  エアシリンダ、  ８  内板移動合体部、  ９  吸着パッド、  １０  注入部移動用駆動部、  １１  移動台車用駆動部、  １３冷蔵庫扉。
【図１】
0003832296.tif 000002
【図２】
0003832296.tif 000003
【図３】
0003832296.tif 000004
【図４】
0003832296.tif 000005